(57)【要約】【課題】生ゴミ乾燥処理機から排出される臭気を感じさせない状態にして、どのような場所にも設置可能なビルトイン生ゴミ乾燥処理機を実現すること。【解決手段】生ゴミ処理容器３内の生ゴミを加熱する加熱手段７と、生ゴミ処理容器３へ給排気を行う為の排気手段１１と、排気中の臭気成分を脱臭する為の触媒脱臭装置１４とを有する生ゴミ乾燥処理機本体部２と、生ゴミ乾燥処理機本体部２を収納する収納部１とを備え、収納部１に収納部排気手段２３と脱臭手段２４とを設ける構成とした。これにより、生ゴミ乾燥処理機本体部２から排出されるわずかな臭気を収納部１に設けた収納部排気手段２３と脱臭手段２４で脱臭し外部に排気でき、室内に排気してもほとんど臭気を感じることがなく、どのような場所にも設置可能なビルトイン生ゴミ乾燥処理機を実現できる。【選択図】　図１
2004057863.tif 000002
【特許請求の範囲】
【請求項１】
生ゴミ処理容器内の生ゴミを加熱する加熱手段と、前記生ゴミ処理容器へ給排気を行う為の排気手段と、排気中の臭気成分を脱臭する為の触媒脱臭装置とを有する生ゴミ乾燥処理機本体部と、前記生ゴミ乾燥処理機本体部を収納する収納部とを備え、前記収納部に収納部排気手段と脱臭手段とを設けたビルトイン生ゴミ乾燥処理機。
【請求項２】
生ゴミ乾燥処理機本体部の排気口部を収納部の収納部排気経路に設けた請求項１記載のビルトイン生ゴミ乾燥処理機。
【請求項３】
生ゴミ乾燥処理機本体部の排気口方向を、収納部の収納部排気経路内の流れに沿った方向に合わせた請求項２記載のビルトイン生ゴミ乾燥処理機。
【請求項４】
収納部の収納部排気手段と脱臭手段とを、物理吸着材で構成した請求項１記載のビルトイン生ゴミ乾燥処理機。
【請求項５】
物理吸着材は収納部より着脱自在にした請求項４記載のビルトイン生ゴミ乾燥処理機。
【請求項６】
物理吸着材は、収納部の収納部排気手段の運転時間を検知することにより物理吸着材の交換時期を報知する吸着材交換検知手段を設けた請求項５記載のビルトイン生ゴミ乾燥処理機。
【請求項７】
収納部の収納部排気手段を間欠的に運転する請求項１〜６のいずれか１項に記載のビルトイン生ゴミ乾燥処理機。
【請求項８】
生ゴミ乾燥処理機本体部運転停止時の収納部排気手段の運転時間は、少なくとも生ゴミ乾燥処理機本体部の運転時間より長い時間とする請求項１〜６のいずれか１項に記載のビルトイン生ゴミ乾燥処理機。
【発明の詳細な説明】
【０００１】
【発明の属する技術分野】
本発明は、一般家庭等の台所で発生する生ゴミ等を加熱乾燥させて減量処理する生ゴミ乾燥処理機を台所等にビルトインさせて使用するビルトイン生ゴミ処理機に関するものである。
【０００２】
【従来の技術】
従来のビルトイン生ゴミ乾燥処理機について図５により説明する。生ゴミ処理機本体３１内に配置させた生ゴミ処理容器３２内の生ゴミ３３を加熱する加熱ヒータ３４と、送風ファン３５とよりなる加熱手段３６と、生ゴミ３３の撹拌手段３７、生ゴミ処理容器３２を着脱する為に、開閉自在のフタ３８及びパッキン３９が設けられている。４０は生ゴミ３３の乾燥減量時に発生する蒸気や臭気成分等の排気を本体３１外に排出するための排出ファン４１等よりなる排出手段で、生ゴミ処理部３２の上方にその排気の出口４２、排出経路４３及び排気中の臭気成分を除去できる触媒脱臭装置４４を介して本体３１外部に排出するようになっている。また、４５は生ゴミ処理容器３２内へ外気を導入する吸気口である。
【０００３】
また、触媒脱臭装置４４には、通過する排気の臭気を酸化反応により脱臭する為の白金等の物質を担持させたプレート４６とプレート４６を加熱する触媒用加熱手段４７が配備されている。この生ゴミ処理機本体３１は収納部４８内にスライドレール４９等により引き出せる構成となっている。
【０００４】
また、５０は生ゴミ処理機本体３１の前面に位置し、収納時に外観部および表示部５１、操作部５２となる前面パネルで、その一部に給気口５３が設けられている。
【０００５】
また、収納部４８には排気手段５４が設けられ、収納部４８から屋外に通じる排気通路５５が設けられている。さらにまた、この排気通路５５を下水道管（図示せず）につなげる構成のものもあった。（特開平７−２２３７２号公報等）
上記構成において、生ゴミ処理容器３２の生ゴミ３３は、加熱ヒータ３４と送風ファン３５により加熱され、同時に撹拌手段３７により撹拌・粉砕されながら乾燥される。生ゴミ３３の乾燥課程において発生する蒸気や臭気成分は、排出ファン４１により吸引され、排出経路４３を通り、触媒脱臭装置４４内で、触媒加熱手段４７で加熱されたプレート４６の面と間で触媒反応により臭気成分が脱臭され本体３１外に排出される。このとき、同時に生ゴミ処理部３２内が減圧されるため、外部より吸気口４５を通って外気が導入される様になっている。本体３１外に排出された排気は、触媒脱臭装置４４により脱臭されているとはいえ、収納部４８の狭い空間に排出されるため微量の臭気でも、収納部４８内が臭くなり、本体３１を引き出したときその臭いが室内に出て不快感を覚えることを防止するため、排気手段５４が設けられ、その臭気を屋外や、下水道管に排出している。
【０００６】
【発明が解決しようとする課題】
このような従来のビルトイン生ゴミ乾燥処理機において、加熱乾燥により生ゴミ中の水分と、臭気成分は気化し、脱臭触媒により浄化して外部に排出する方式では、排出される臭気量はごくわずかであるが、せまい収納部にこもるため、その臭気を排出することが必要であった。
【０００７】
そのため、生ゴミ乾燥処理機本体部から出た排気は屋外や下水道管に排出している。そして、屋外に排出する場合、生ゴミ乾燥処理機本体部を収納する場所が屋外に接した位置に収納する必要があった。これは、屋外から離れた位置に収納すると、排気の通路が長くなり、そのため通路抵抗が大きくなり、大きな能力の排気手段を用いなければならなくなる。また、排気のため、配管等の設置工事も費用がかさみ、工事自体も大規模なものとなってしまう。特に最近増加している、対面型のキッチン等は屋外の壁から離れた位置あるため収納がしにくいものであった。
【０００８】
また、下水道管に排気する場合、設置工事のための手間はそれほどいらないが、排気手段の排気能力を下水道管の圧力損失を上回るように設定する必要があった。しかし、家の建て方等によって千差万別の下水道配管構成となっており、それぞれの配管にあわせた排気能力設定が必要となってくる。
【０００９】
さらにまた、必要以上に排気手段の能力を大きくすると、下水道管の途中に設けられた臭気逆流防止用トラップの封水を破ってしまうという問題があり、排気手段の能力によっては従来のビルトイン生ゴミ乾燥処理機が使用できない家が多く出てくる可能性があった。
【００１０】
そこで、本発明は、このような従来の課題を解決し、生ゴミ乾燥処理機本体から排出される臭気を室内に排出できる状態とし、どのような場所に設置しても、設置工事等が簡単で、臭気を感じないビルトイン生ゴミ乾燥処理機を提供することを目的としている。
【００１１】
【課題を解決するための手段】
前記従来の課題を解決するために本発明のビルトイン生ゴミ乾燥処理機は、生ゴミ処理容器内の生ゴミを加熱する加熱手段と、前記生ゴミ処理容器へ給排気を行う為の排気手段と、排気中の臭気成分を脱臭する為の触媒脱臭装置とを有する生ゴミ乾燥処理機本体部と、前記生ゴミ乾燥処理機本体部を収納する収納部とを備え、前記収納部に収納部排気手段と脱臭手段とを設け、生ゴミ乾燥処理機本体部から排出されるわずかな臭気を収納部に設けた収納部排気手段と脱臭手段で脱臭し外部に排気することにより、室内に排気してもほとんど臭気を感じないレベルまで脱臭できる様にしたものである。
【００１２】
また、収納部排気手段の運転により収納部内に臭気がこもることもなくなる。さらに、生ゴミ乾燥処理機本体部の給排気を室内に行うことができるため、生ゴミ乾燥処理機の設置場所を選ばず、どこでも、しかも簡単な工事のみで設置する事ができることものである。
【００１３】
【発明の実施の形態】
請求項１に記載の発明は、生ゴミ処理容器内の生ゴミを加熱する加熱手段と、前記生ゴミ処理容器へ給排気を行う為の排気手段と、排気中の臭気成分を脱臭する為の触媒脱臭装置とを有する生ゴミ乾燥処理機本体部と、前記生ゴミ乾燥処理機本体部を収納する収納部とを備え、前記収納部に収納部排気手段と脱臭手段とを設け、生ゴミ乾燥処理機本体部から排出されるわずかな臭気を収納部に設けた収納部排気手段と脱臭手段で脱臭し外部に排気することにより、室内に排気してもほとんど臭気を感じないレベルまで脱臭できる。
【００１４】
また、収納部排気手段の運転により収納部内に臭気がこもることもなくなる。さらに、生ゴミ乾燥処理機の給排気を室内に行うことができるため、生ゴミ乾燥処理機の設置場所を選ばず、どこでも、しかも簡単な工事のみで設置する事ができることものである。
【００１５】
請求項２に記載の発明は、特に、請求項１記載の生ゴミ乾燥処理機本体部の排気口部を収納部の収納部排気経路に設け、生ゴミ乾燥処理機本体部の排気中の臭気が収納部の他の部分や生ゴミ乾燥処理機自体に付着するのを防止し、収納部内に臭気がこもらないようにしたものである。
【００１６】
請求項３に記載の発明は、特に、請求項２記載の生ゴミ乾燥処理機本体部の排気口方向を、収納部の収納部排気経路内の流れに沿った方向に合わせ、収納部排気経路の排気が流れるによるエジェクト効果で生ゴミ乾燥処理機自体の排気手段を構成することにより、生ゴミ乾燥処理機の排気手段を設ける必要が無くなるものである。
【００１７】
請求項４に記載の発明は、特に、請求項１記載の収納部の収納部排気手段と脱臭手段とを、物理吸着材で構成し、簡単で安価な構成とすることができる。
【００１８】
請求項５に記載の発明は、特に、請求項４記載の物理吸着材を収納部より着脱自在にし、物理吸着剤の脱臭能力が低下したときに簡単に物理吸着剤を交換できるようにしたものである。
【００１９】
請求項６に記載の発明は、特に、請求項５記載の物理吸着材を、収納部の収納部排気手段の運転時間を検知することにより物理吸着材の交換時期を報知する吸着材交換検知手段を設け、物理吸着剤の寿命を的確に知ることができるようにしたものである。
【００２０】
請求項７に記載の発明は、特に、請求項１〜６のいずれか１項に記載の収納部の収納部排気手段を間欠的に運転することにより、生ゴミ乾燥処理機本体部の運転停止中は、生ゴミ乾燥処理機本体部の生ゴミ処理容器内の温度も低く、臭気の発生もほとんどないため間欠的に運転し、排気手段の耐久性や省エネを計ることができるものである。
【００２１】
請求項８に記載の発明は、特に、請求項１〜６のいずれか１項に記載の生ゴミ乾燥処理機本体部運転停止時の収納部排気手段の運転時間は、少なくとも生ゴミ乾燥処理機本体部の運転時間より長い時間とすることにより、物理吸着剤が乾燥運転中に吸着した臭気を運転終了後わずかずつ脱着させ、吸着剤の寿命を延ばすことができるものである。
【００２２】
【実施例】
以下本発明の実施例について、図１〜図４を参照しながら説明する。
【００２３】
（実施例１）
図１において、収納部１にビルトインされた生ゴミ乾燥処理機本体部（以下、本体と称す）２の内部には生ゴミ処理容器３内の生ゴミ４を加熱する加熱ヒータ５と、送風ファン６とよりなる加熱手段７と、生ゴミ４の撹拌手段８、生ゴミ処理容器３を着脱する為に、開閉自在のフタ９及びパッキン１０が設けられている。１１は排気手段であり、生ゴミ４の乾燥時に発生する蒸気や臭気成分等の排気を本体２外に排出するための排出ファン１２で、生ゴミ処理容器３上方の排出経路１３及び排気中の臭気成分を除去できる触媒脱臭装置１４を介して本体２外部に排出するようになっており、同時に生ゴミ処理容器３の上方に設けた吸気口１５から外気を取り入れる様になっている。
【００２４】
１６は生ゴミ乾燥処理機の制御手段でビルトイン生ゴミ乾燥処理機の運転を制御している。さらに、本体２の側面にはスライドレール１７が設けられ、本体２が収納部１と引き出し自在となっている。また、１８は本体２の前面に位置し、収納時に外観部および表示部１９、操作部２０となる前面パネル部で、その一部に収納部１の給排気口２１、２２が設けられている。また、収納部１には排気手段２３と脱臭手段２４が設けられ、吸気口２１より室内の空気を吸気し、排気口２２より、収納部１の空気は脱臭手段２４を介して室内に排出する様になっている。
【００２５】
上記構成において、収納部１より本体２を引き出し、蓋９を開け、生ゴミ処理容器３内に生ゴミ４を入れ、再び収納部１に収納する。その後、操作部２０より、乾燥開始の操作を行うと、生ゴミ処理容器３内生ゴミ４は、加熱ヒータ５と送風ファン６により加熱され、同時に撹拌手段８により撹拌、粉砕されながら乾燥される。生ゴミ４の乾燥工程において発生する蒸気や臭気成分は、排出ファン１２により吸引され、排出経路１３を通り、触媒脱臭装置１４内で、酸化触媒反応により臭気成分が脱臭され本体２外に排出される。このとき、同時に生ゴミ処理容器３内が減圧されるため、本体２外部より吸気口１５を通って外気が導入される様になっている。
【００２６】
また、本体２より排出された本体２内より発生した排気は、いったん収納部１内の空間に排出され、収納部１に設けられた排気手段２３と脱臭手段２４を通って、吸気口２１から入った空気とともに排気口２２から室内に排気される。このとき、本体２より出る排気は、触媒脱臭装置１４で脱臭され、さらに吸気口２１から入る空気により薄められ、脱臭手段２４よりさらに脱臭されて排出されるため、室内にはほとんど臭気が出ることはない。また、排気手段２３により収納部１が常に換気されているので、収納部１に臭気が染みつく心配もない。
【００２７】
このことにより、生ゴミ乾燥処理機本体２より発生する排気を屋外や下水道管に排気する必要が無く、室内に排気可能なため、収納場所やの選択や、設置工事等のほとんど不要なビルトイン生ゴミ乾燥処理機を提供できるものである。
【００２８】
尚、本実施例において、排気手段１１により、本体２に外気を給排気するようにしたが、排気手段１１とは別に、給気手段を設けても問題ないものである。
【００２９】
また、本実施例において、収納部排気手段２３により、収納部１に外気を給排気するようにしたが、収納部排気手段２３とは別に、収納部給気手段を設けても問題ないものである。
【００３０】
（実施例２）
本発明の第２の実施例について、図２を用いて説明する。尚、実施例１と共通の部分は同一符号を与えて、詳細な説明を省略する。
【００３１】
図２において、本体２の排気口２５は、収納部１に設けられた収納部排気経路２６の内部に位置させている。
【００３２】
このことにより、本体２より排出される排気は収納部１に設けられた収納部排気経路２６の中に排気され、吸気口２１から入った空気と共に、収納部排気手段２３によって脱臭手段２４を通して排気口２２から室内に排気される。そのため、本体２に排気の臭気が付着したりする心配が無く、収納部１から引き出した場合でも、外部で臭うということが無くなるものである。
【００３３】
（実施例３）
本発明第３の実施例について、図３を用いて説明する。尚、実施例１、２と共通の部分は同一符号を与えて、詳細な説明を省略する。
【００３４】
図３において、本体２の排気口２５は、収納部１に設けられた収納部給排気経路２６の内部に位置し、収納部排気手段２３による収納部排気経路２６の流れに沿った方向に向いており、収納部排気経路２６を流れる排気のエジェクト効果により、生ゴミ処理容器３内の排気を吸引するようにしているため、本体２の排気手段は必要なくなる。これにより構成の簡素化と兼価構成を実現できるものである。
【００３５】
（実施例４）
本実施例は、その構成においては図１と同じであり、脱臭手段２４に物理吸着材、たとえば活性炭やゼオライト等、を使用したもので、これらの吸着材は大風量、低濃度の臭気吸着に有利であり、しかも安価で構造も簡単である。このため本願のように、一度別の脱臭装置で脱臭し、外気によって希薄化した排気の脱臭に最適なものである。
【００３６】
（実施例５）
本発明の第５の実施例について、図４を用いて説明する。尚、実施例１と共通の部分は同一符号を与えて、詳細な説明を省略する。収納部１に設置された脱臭手段２７である物理吸着材は本体２の前面パネル部１８より着脱自在に取り付けられている。これにより、物理吸着材は容易に交換が可能となる。
【００３７】
（実施例６）
本実施例は、その構成においては図４と同じである。その動作については本体２の制御手段１６により収納部１の収納部排気手段２３の運転時間を検知し、所定時間運転後、表示部１９に設けた、物理吸着材交換ランプ（図示せず）を点灯または点滅させ、異常を知らせる様にしている。これは、特にランプでなくとも、ブザー等の音での報知でもかまわない。これにより、物理吸着材の交換時期が明確にわかり、室内に臭気が漏れてくる心配もなくなるものである。
【００３８】
（実施例７）
本実施例は、収納部１に設けた収納部排気手段２３の運転を、本体２の運転中は連続で運転し、運転が終了した後は間欠的に運転する様に制御手段１６により制御されているもので、生ゴミの乾燥運転が終了後は、生ゴミ処理容器３からの蒸気や臭気の発生も少なく、さらに温度も低いため、臭気濃度かかなり希薄となる。そのため、運転終了後も続けて収納部排気手段２３を連続で運転することは、モータの耐久性や消費される電力の無駄になり、これを間欠的に運転することにより電力が節約でき、耐久性も増すが、脱臭の能力としては十分効果があるものである。
【００３９】
（実施例８）
本実施例は、本体２の運転終了後、収納部排気手段２３の運転時間を、少なくとも本体２の運転時間より多い時間運転させる制御手段１６を有するように構成している。これは、脱臭手段２４の物理吸着材は、臭気の希薄な空気が通過すると今まで吸着していた臭い成分をわずかづつ放出する。しかし、この放出量はきわめて微量のため、放出されても、室内で臭気を感じることはない。そのため、少なくとも本体２の運転停止後、その時間より長い時間、収納部排気手段２３を運転することで、物理吸着材が再生され、その寿命が延びることになる。
【００４０】
【発明の効果】
以上のように本発明によれば、生ゴミ乾燥処理機から排出されるわずかな臭気を室内に排気してもほとんど臭気を感じないレベルまで脱臭できるものである。さらに、生ゴミ乾燥処理機の給排気を室内に行うことができるため、生ゴミ乾燥処理機の設置場所を選ばず、どこでも、しかも簡単な工事のみで生ゴミ乾燥処理機をビルトインできるものである。
【図面の簡単な説明】
【図１】本発明の実施例１におけるビルトイン生ゴミ乾燥処理機の縦断面図
【図２】本発明の実施例２におけるビルトイン生ゴミ乾燥処理機の縦断面図
【図３】本発明の実施例３におけるビルトイン生ゴミ乾燥処理機の縦断面図
【図４】本発明の実施例５におけるビルトイン生ゴミ乾燥処理機の縦断面図
【図５】従来のビルトイン生ゴミ乾燥処理機の縦断面図
【符号の説明】
１　収納部
２　生ゴミ乾燥処理機本体部
３　生ゴミ処理容器
７　加熱手段
１１　排気手段
１４　触媒脱臭装置
１６　制御手段
２３　収納部排気手段
２４　脱臭手段
２５　排気口
２６　収納部排気経路
２７　脱臭手段
【図１】
2004057863.tif 000003
【図２】
2004057863.tif 000004
【図３】
2004057863.tif 000005
【図４】
2004057863.tif 000006
【図５】
2004057863.tif 000007